(57)【特許請求の範囲】
【請求項１】
コンベアベルトと該コンベアベルトを保持するフレームと該フレームを支持する支柱と備えたベルトコンベアにおいて、ベルトコンベアを稼動させたまま、既設のフレームを新設のフレームに交換するためのフレーム更新方法であって、既設のフレームを包含するように当該既設のフレームよりも大きな新設のフレームを据付けて、いったん、前記新設のフレームと前記既設のフレームの両者の荷重を前記支柱で支持させた後、前記既設のフレームを撤去することによって、既設のフレームを新設のフレームに交換することを特徴とするベルトコンベアのフレーム更新方法。
【発明の詳細な説明】
【技術分野】
【０００１】
本発明は、ベルトコンベアのフレームを交換するためのベルトコンベアのフレーム更新方法に関するものである。
【背景技術】
【０００２】
例えば、高炉においては、原料を搬送する際にベルトコンベアが用いられている（例えば、特許文献１参照）。
【０００３】
図１、図２は、そのような原料搬送用ベルトコンベアを示すものであり、図１は側面図であり、図２は縦断面図である。
【０００４】
図１、図２に示すように、このベルトコンベア１０は、コンベアベルト１１（搬送ベルト１１ａ、リターンベルト１１ｂ）と、そのコンベアベルト１１を保持するフレーム（ギャラリーフレーム）１２と、フレーム１２を支持するために所定の間隔で立設された支柱１３とを備えている。そして、支柱１３の上端部には受け架台１４が設置されており、受け架台１４の上に連結部材１５を介してフレーム１２が搭載されている。なお、支柱１３と支柱１３の間を１スパンとしており、図１では＃１スパンから＃５スパンまでの５スパンになっている。
【０００５】
このようなベルトコンベア１０において、フレーム１２が劣化して更新する場合は、これまでは、図６に示すようにして行っていた。
【０００６】
すなわち、図６（ａ）に示すような稼働状態から、図６（ｂ）に示すように、ベルトコンベア１０を停止して、コンベアベルトを切断し、既設のフレームを撤去し、支柱を撤去した後、図６（ｃ）に示すように、支柱を据付け、新設のフレームを据付け、コンベアベルトを取り付けていた。
【先行技術文献】
【特許文献】
【０００７】
【特許文献１】特開２００２−３１０８４７号公報
【発明の概要】
【発明が解決しようとする課題】
【０００８】
しかしながら、図６に示したような従来のフレーム更新方法では、ベルトコンベアが一時的に停止して使用できなくなるため、高炉へ原料を搬送するベルトコンベアなどのように操業に重要な位置を占めるベルトコンベアに適用した場合には、そのまま大きな減産につながってしまう。
【０００９】
本発明は、上記のような事情に鑑みてなされたものであり、高炉へ原料を搬送するベルトコンベアなどのように操業に重要な位置を占めるベルトコンベアにおいて、稼動したままの状態でフレームを交換することができるベルトコンベアのフレーム更新方法を提供することを目的とするものである。
【課題を解決するための手段】
【００１０】
上記課題を解決するために、本発明は以下の特徴を有する。
【００１１】
［１］コンベアベルトと該コンベアベルトを保持するフレームと該フレームを支持する支柱と備えたベルトコンベアにおいて、既設のフレームを新設のフレームに交換するためのフレーム更新方法であって、既設のフレームを包含するように当該既設のフレームよりも大きな新設のフレームを据付けて、いったん、前記新設のフレームと前記既設のフレームの両者の荷重を前記支柱で支持させた後、前記既設のフレームを撤去することによって、既設のフレームを新設のフレームに交換することを特徴とするベルトコンベアのフレーム更新方法。
【発明の効果】
【００１２】
本発明においては、高炉へ原料を搬送するベルトコンベアなどのように操業に重要な位置を占めるベルトコンベアにおいて、稼動したままの状態でフレームを交換することができる。その結果、従来のような当該ベルトコンベアの停止による減産を回避することができる。
【図面の簡単な説明】
【００１３】
【図１】高炉へ原料を搬送するベルトコンベアを示す側面図である。
【図２】高炉へ原料を搬送するベルトコンベアを示す縦断面図である。
【図３】本発明の一実施形態におけるフレーム更新方法を示す図である。
【図４】本発明の一実施形態における詳細なフレーム更新手順を示す図である。
【図５】本発明の一実施形態における詳細なフレーム更新手順を示す図である。
【図６】従来のフレーム更新方法を示す図である。
【発明を実施するための形態】
【００１４】
本発明の一実施形態を図面に基づいて説明する。
【００１５】
本発明の一実施形態において対象とするベルトコンベアは、前述の図１、図２に示した高炉へ原料を搬送するベルトコンベア１０である。
【００１６】
図１、図２に示すように、このベルトコンベア１０は、コンベアベルト１１（搬送ベルト１１ａ、リターンベルト１１ｂ）と、そのコンベアベルト１１を保持するフレーム（ギャラリーフレーム）１２と、フレーム１２を支持するために所定の間隔で立設された支柱１３とを備えている。そして、支柱１３の上端部には受け架台１４が設置されており、受け架台１４の上に連結部材１５を介してフレーム１２が搭載されている。なお、支柱１３と支柱１３の間を１スパンとしており、図１では＃１スパンから＃５スパンまでの５スパンになっている。
【００１７】
そして、この実施形態においては、ベルトコンベア１０のフレーム１２が劣化して更新する場合は、図３に示すようにして、稼動状態のままで行うようにしている。
【００１８】
すなわち、図３（ａ）に示すようなそれまでの稼働状態から、図３（ｂ）に示すように、任意の１スパンについて、既設のフレーム１２を包含するように、当該既設のフレーム１２よりも一回り大きな新設のフレーム２２を据付けて、いったん、新設のフレーム２２と既設のフレーム１２の両者の荷重を支柱１３で支持させた後、図３（ｃ）に示すように、新設のフレーム２２が据付けられた個所の既設のフレーム１２を撤去する。以下、スパン毎に、上記の図３（ｂ）、（ｃ）を繰り返すことによって、既設のフレーム１２を新設のフレーム２２に交換する。
【００１９】
図４、図５に、上述したこの実施形態におけるフレーム更新方法における詳細なフレーム更新手順を示す。
【００２０】
（Ｓ０）まず、図４（ａ）は、フレーム更新前の稼働状態を示す図である。図３（ａ）に該当している。
【００２１】
（Ｓ１）次に、図４（ｂ）に示すように、作業の安全を図るために、既設のフレーム１２の上端部に、コンベアベルト１１上からの落下物を受け止める落骸防止板２０を設置する。
【００２２】
（Ｓ２）次に、図４（ｃ）に示すように、一回り大きな新設のフレーム２２用の受け架台２４を受け架台１４の外側に設置する。
【００２３】
（Ｓ３）次に、図５（ｄ）に示すように、既設のフレーム１２を包含するように、既設のフレーム１２よりも一回り大きな新設のフレーム２２を据付ける。その際には、既設のフレーム１２に新設のフレーム２２を部材毎に取り付ける。これによって、新設のフレーム２２と既設のフレーム１２とが一体となり、新設のフレーム２２と既設のフレーム１２は、連結部材２５と受け架台２４および連結部材１５と受け架台１４を介して支柱１３で支持される。したがって、新設のフレーム２２と既設のフレーム１２の両者の荷重を支柱１３が支持することになる。ちなみに、この状態は、図３（ｂ）に該当している。
【００２４】
（Ｓ４）次に、図５（ｅ）に示すように、既設のフレーム１２用の連結部材１５を撤去する。したがって、新設のフレーム２２に既設のフレーム１２の荷重が掛かるようになるとともに、新設のフレーム２２と既設のフレーム１２の両者の荷重は連結部材２５と受け架台２４を介して支柱１３が支持することになる。
【００２５】
（Ｓ５）そして、図５（ｆ）に示すように、既設のフレーム１２を撤去する。ちなみに、この状態は、図３（ｃ）に該当している。
【００２６】
（Ｓ６）以下、スパン毎に（Ｓ１）〜（Ｓ６）を繰り返すことによって、既設のフレーム１２全体を新設のフレーム２２に交換する。
【００２７】
なお、上記においては、一時的に、新設のフレーム２２に既設のフレーム１２の荷重が掛かり、連結部材２５と受け架台２４と支柱１３に新設のフレーム２２と既設のフレーム１２の両者の荷重が掛かるので、それらに耐えられる構造としておく。また、支柱１３の基礎も新設のフレーム２２と既設のフレーム１２の両者の荷重に耐えられる構造としておく。
【００２８】
このようにして、この実施形態においては、高炉へ原料を搬送するベルトコンベア１０のフレーム（ギャラリーフレーム）１２を交換するに際して、当該ベルトコンベア１０を稼動したままの状態で既設フレーム１２を新設フレーム２２に交換することができる。その結果、従来のような当該ベルトコンベア１０の停止による減産を回避することができる。
【００２９】
なお、この実施形態では、高炉へ原料を搬送するベルトコンベアを対象にしたが、本発明は、他の同様なベルトコンベアに適用することができる。
【符号の説明】
【００３０】
１０  高炉へ原料を搬送するベルトコンベア
１１  コンベアベルト
１１ａ  搬送ベルト
１１ｂ  リターンベルト
１２  既設のフレーム
１３  支柱
１４  受け架台
１５  連結部材
２０  落骸防止板
２２  新設のフレーム
２４  受け架台
２５  連結部材
【図１】
0005686065.tif 000002
【図２】
0005686065.tif 000003
【図３】
0005686065.tif 000004
【図４】
0005686065.tif 000005
【図５】
0005686065.tif 000006
【図６】
0005686065.tif 000007